(57)【要約】【課題】  地図、案内のパンフレット、広告等において、平板用紙を折り込みと切り込みの活用により目的地や内容が同一頁で表示が可能とされる印刷物機構を提供する。【解決手段】  印刷加工において用紙に折り込みと切り込みを設け、切り込みにより分割した頁構成をもったことを特徴とする折りたたみ印刷物機構。【選択図】      図１
2005170017.tif 000002
【特許請求の範囲】
【請求項１】
谷折りと山折りを繰り返し少なくとも手前方向に折り曲がる山折り部と山折り部をはさんで設けられた谷折り部を有する紙片と、任意の谷折り部間に設けられた少なくとも１以上の切り込み部と、紙片の少なくとも一方に施された印刷部より構成され、２っの谷折りと山折りにかかる紙片部は重ねた状態で分割可動頁を構成し、任意の分割可動片を固定させた状態で基本表示とする基本印刷部と他の分割可動片の操作により表示される２っ以上の対応表示印刷部を設けたことを特徴とする折たたみ印刷物機構。
【請求項２】
裏面に同様の印刷部を設けたことを特徴とする請求項１記載の折たたみ印刷物機構。
【請求項３】
同位置で可動するよう分割可動片を複数構成させたことを特徴とする請求項１又は２記載の折たたみ印刷物機構。
【発明の詳細な説明】
【技術の分野】
【０００１】本発明は、印刷加工において用紙に折り込みと切り込みを設け、切り込みにより分割した頁構成をもつことを可能とした印刷物機構に関するものである。
【背景技術】
【０００２】印刷物の機構において、両面の印刷表示機構やその他の印刷物機構において折り込みと切り込みの活用と展開表示を可能とした折たたみ印刷物機構が既存した。
【特許文献１】出願番号特願平６−２２５６２０
【特許文献２】出願番号特願２００１−２１０５４４
【発明の開示】
【発明が解決しようとする課題】
【０００３】  これには次のような欠点があった。
（イ）従来、地図の表示と目的地が対象表示及び印刷内容が対象表示することを可能とした印刷物機構は既存しなかった。
（ロ）従来、イベント会場などの案内のパンフレットにおいて、平板用紙での印刷物及び製本での様式が活用されていたが、平板用紙での会場案内パンフレットでは同一頁にて地図の表示と目的地の対象表示が可能とされず、製本においても前記の問題と製造コストが割高であった。
（ハ）地図、案内のパンフレット、広告等において、平板用紙を折り込みと切り込みの活用により、分割した頁構成をもつ内容が同一頁で表示が可能とされる印刷物機構は既存しなかった。
本発明は、これらの問題点を解決するためになされたものである。
【課題を解決するための手段】
【０００４】本発明の構成は図１に示すように谷折り線（１０１）と天地中央山折り線（１０２）を繰り返し少なくとも手前方向に折り曲がる山折り部と山折り部をはさんで設けられた谷折り部を有する紙片と、任意の谷折り部間に設けられた少なくとも１以上の切り込み部（１０４）と、紙片の少なくとも一方に施された印刷部より構成され、２っの谷折りと山折りにかかる紙片部は重ねた状態で分割中間可動頁（２０）を構成される。印刷の状態においては、任意の分割可動片を固定させた状態で基本表示とする基本印刷部と他の分割可動片の操作により表示される２っ以上の対応表示印刷部を設けたことを特徴とする構成であり、裏面に同様の印刷部を設けさらに同位置で可動するよう分割可動片を複数構成させたことを特徴とする。
以上の機構を特徴とする折たたみ印刷物機構である。
【発明の効果】
【０００５】  発明の効果において、本発明の機構は図１に示すように谷折り線（１０１）と天地中央山折り線（１０２）を繰り返し少なくとも手前方向に折り曲がる山折り部と山折り部をはさんで設けられた谷折り部を有する紙片と、任意の谷折り部間に設けられた少なくとも１以上の切り込み部（１０４）と、紙片の少なくとも一方に施された印刷部より構成され、２っの谷折りと山折りにかかる紙片部は重ねた状態で分割中間可動頁（２０）を構成されることで、平板用紙に切り込み部（１０４）と折り込みを設けることで中間可動頁（２０）が構成される。
この中間可動頁（２０）は従来の印刷物にない特徴機構で、実施において従来の地図の表示と目的地が対象表示することを可能とした印刷物機構が可能となり、地図、案内のパンフレット、広告等において、平板用紙を折り込みと切り込みの活用により目的地の同一頁で表示が可能とされる効果をもたらした。
また、本発明の加工工程及び製造コストも従来と技術と通常の製造コストで生産が可能であり、特別な加工設備を必要としない本発明の印刷物機構は従来にない活用効果を得た印刷物の提供が可能となる。
【発明を実施するための最良の形態】
【０００６】  以下、本発明の実施の形態について図１乃至図６をもちいて説明する。
図１に記載されているのは、本発明の本紙（１０）からなる構成で、本紙（１０）は平板用紙で、印刷Ａ１（１０５）は対極に印刷Ａ２（１０６）と印刷内容が伴う印刷が施され、印刷Ｂ１（１０７）は対極に印刷Ａ２（１０６）と印刷内容が伴う印刷が施されている。
本紙（１０）の天地、左右の中央に４当分となる位置に切込（１０４）を設ける。
切込（１０４）の中央、両端の位置に谷折線（１０１）、天地中央山折線（１０２）、谷折線（１０３）を設けた構成がなされている。
本発明の図１の記載においては用紙の表面を図示しているが、片面及び両面での印刷が可能である。
図２は、図１の本発明の構成からの実施の経過の図で、谷折線（１０１）、天地中央山折線（１０２）、谷折線（１０３）の位置から３ッ折りをおこなうことで、頁を設けることが可能となる。
また、切込（１０４）から中央の頁は天地に分割されることで、中間可動頁（２０）が設けられる。
中間可動頁（２０）が天地に分割されることは、印刷内容が印刷Ａ１（１０５）と対極に印刷Ａ２（１０６）されることで、図２に示すよう印刷Ａ１（１０５）と印刷Ａ２（１０６）の表示が可能とされる。
図３は、印刷内容が印刷Ｂ１（１０７）と対極に印刷Ｂ２（１０８）が印刷され、中央の頁が切込（１０４）から中間可動頁（２０）とされ印刷Ｂ１（１０７）と印刷Ｂ２（１０８）の表示が可能とされる経過を示した図である。
本発明は前文で記載したが、用紙の片面印刷及び両面印刷が可能であり、両面印刷に於いては、表面に対して逆折りすることで、両面の活用は可能とされるものである。
図４は、実施の応用例で仕様と目的に応じて、切込２（１１０）を設けることで中央の中間可動頁（２０）は３分割に扉状にされることが可能となる。
図５は、図４からなる応用例の実施の状態を示した図で切込２（１１０）からなる、中央の中間可動頁（２０）が３分割に扉状にされた状態を示した図である。
図６は、実施の応用例で図においては、横列に２面構成で記載しているが、縦列に多面構成することが可能である。
すなわち、本発明においては目的と構成の内容において、本紙の縦及び横の仕様が可能であり、本紙の縦列、横列の連続折りの構成も可能である。
以上のような構成で、本発明は下記のように実施される。
本発明が地図として実施した祭、図１において印刷Ａ１（１０５）と印刷Ｂ１（１０７）の面に地図が印刷される。
印刷Ａ２（１０６）は印刷Ａ１（１０５）の地図と対極した内容で印刷される。
これは、印刷Ａ１（１０５）の地図に分布したレストラン、店鋪等の内容でＡ２（１０６）に印刷することで、目的のレストラン、店鋪等の表示がされ、図２に示すよう切込（１０４）から中間可動頁（２０）が設けられ、中間可動頁（２０）は扉状に天地に分割されることで、印刷Ａ１（１０５）と印刷Ａ２（１０６）は一体の表示頁となる。
前記同様、印刷Ｂ１（１０７）と印刷Ｂ２（１０８）も切込（１０４）から中間可動頁（２０）は扉状に天地に分割されることで、印刷Ｂ１（１０７）と印刷Ｂ２（１０８）は一体の表示頁となる。
印刷Ａ１（１０５）と印刷Ａ２（１０６）、印刷Ｂ１（１０７）と印刷Ｂ２（１０８）の印刷内容を対象にすることで、商品内容と価格の対極印刷により広告に活用でき、絵柄と文章の対象印刷することにより絵本を構成させることが可能であり、また、問題と答えを対象印刷することでテキスト等の教材の活用が可能とされるものである。
すなわち、本発明の折りたたみ印刷物機構は、中間可動頁（２０）を設けることで地図、広告、教材、パンフレット、書籍、その他印刷物に活用されるものである。
応用の実施例として、図４、５、に示すよう目的と構成に応じて切込２（１１０）を設けることで中央の中間可動頁（２０）は３分割に扉状にされることが可能となる。
本発明の図面における説明では、本紙平紙の１枚構成で記載しているが、応用として製本の中間での構成が可能であり、図６に示すよう、横列に２面構成及び縦列に多面構成することが可能である。
本発明において目的と構成の内容において、本紙の縦及び横の仕様が可能であり、本紙の縦列、横列の連続折りの構成も可能とする。
以上の構成と実施により本発明はなされるものである。
【産業上の利用可能性】
【０００７】印刷用紙を折り込み、さらに切り込みを設けることで中間可動頁の機構が設けられる。
本発明の中間可動頁の活用効果により、内容の対象表示が同一頁で表示されることが可能とされた地図、広告、教材、パンフレット、書籍、その他印刷物が提供される。
本発明は、以上の構成より産業上利用されるものである。
【図面の簡単な説明】
【０００８】
【図１】本発明の構成形態の図である。
【図２】本発明の実施における形態図である
【図３】本発明の実施における形態図である。
【図４】本発明の応用実施の構成図である。
【図５】本発明の応用実施における形態図である。
【図６】本発明の応用実施における形態図である。
【符号の説明】
【０００９】１０．本紙
１０１．谷折線
１０２．天地中央山折線
１０３．谷折線
１０４．切込
１０５．印刷Ａ１
１０６．印刷Ａ２
１０７．印刷Ｂ１
１０８．印刷Ｂ２
１０５．印刷Ｃ１
１０６．印刷Ｃ２
１０７．印刷Ｄ１
１０８．印刷Ｄ２
１０９．左右中央線
２０．中間可動頁
１１０．切込２
【図１】
2005170017.tif 000003
【図２】
2005170017.tif 000004
【図３】
2005170017.tif 000005
【図４】
2005170017.tif 000006
【図５】
2005170017.tif 000007
【図６】
2005170017.tif 000008